(57)【特許請求の範囲】
【請求項１】
ペンケース本体と、
前記ペンケース本体に設けられ、外力を受けることで、長尺の板状に展開された第１状態と、板状の長手方向を周方向として円柱状に巻き付けられた第２状態とを、相互に切替可能な変形部材と、を備え、
前記ペンケース本体は、前記変形部材と重ならない領域であって前記変形部材の長手方向の辺部と重なる折り返し線を支点に前記ペンケース本体の外面側に折り返すことができる折り返し領域を有しており、
前記ペンケース本体は、前記変形部材が前記第１状態のときに平板状に展開され、前記変形部材が前記第１状態のときに前記変形部材が外力を受けると前記変形部材が前記第２状態になって自動的に筒状に変形し、
前記ペンケース本体は、内部に文房具を保持したまま、前記折り返し領域を折り返した状態で前記第１状態から前記第２状態へと、又は前記第２状態から前記第１状態へと変化可能である、
ペンスタンド兼用ペンケース。
【請求項２】
前記ペンケース本体は、展開された状態で一方向に長い形状に形成されており、
前記変形部材は、前記ペンケース本体の短手方向の中心を通りかつ長手方向に沿った前記ペンケース本体の中心線と重なる位置に設けられている、
請求項１に記載のペンスタンド兼用ペンケース。
【請求項３】
前記ペンケース本体は、
前記変形部材の長手方向の端部と重なる位置に設けられた操作部を更に有し、
前記操作部は、前記ペンケース本体における前記操作部以外の部分と区別可能に構成されている、
請求項１又は２に記載のペンスタンド兼用ペンケース。
【請求項４】
前記ペンケース本体は、内面側に前記変形部材の長手方向に沿って設けられ、文房具を内部に収容可能な複数の収容部を更に有し、
前記操作部は、前記ペンケース本体の長手方向に関する前記収容部の外側に設けられている、
請求項３に記載のペンスタンド兼用ペンケース。
【請求項５】
前記各収容部は、前記ペンケース本体のうち前記折り返し領域とは異なる領域に設けられている、
請求項４に記載のペンスタンド兼用ペンケース。
【請求項６】
前記ペンケース本体の長手方向に関する各端部にあって前記ペンケース本体の短手方向の辺に沿って設けられ、折り曲げ可能な柔軟性を有しておりかつ前記ペンケース本体の剛性よりも高い剛性を有する補助部材を更に備えている、
請求項１から５のいずれか一項に記載のペンスタンド兼用ペンケース。
【請求項７】
前記ペンケース本体の長手方向に関する各端部にあって前記ペンケース本体の短手方向の辺に沿って設けられ、折り曲げ可能な柔軟性を有しておりかつ前記ペンケース本体の剛性よりも高い剛性を有する補助部材を更に備え、
前記補助部材は、
前記折り返し線に跨って設けられた第１補助部材と、
前記折り返し線を跨がずに設けられた第２補助部材と、
前記折り返し線を跨がずかつ前記折り返し線に関して前記第２補助部材の反対側に設けられた第３補助部材と、を含んで構成されている、
請求項１から６のいずれか一項に記載のペンスタンド兼用ペンケース。
【請求項８】
前記第２補助部材と前記第３補助部材とは直線上に配置されている、
請求項７に記載のペンスタンド兼用ペンケース。
【請求項９】
前記第１補助部材と、前記第２補助部材及び前記第３補助部材とは、それぞれ重ねて配置されており、
前記第１補助部材は前記第２補助部材及び前記第３補助部材よりも前記ペンケース本体の内面側に設けられている、
請求項７又は８に記載のペンスタンド兼用ペンケース。
【請求項１０】
前記第１補助部材は、前記各端部の全長に亘って設けられている、
請求項８又は９に記載のペンスタンド兼用ペンケース。
【発明の詳細な説明】
【技術分野】
【０００１】
本発明の実施形態は、ペンケースに関する。
【背景技術】
【０００２】
従来、内部に文房具を収納できる袋状に形成され、ファスナー等によって開閉するペンケースや、蓋部と容器本体とからなり、蓋部と容器本体とをマグネット部材等で開閉可能に係合するペンケース等が知られている。しかし、ファスナーやマグネット部材等によって開閉する場合、ファスナーやマグネット部材等の不具合で使用できなくなることがあった。
【０００３】
そのため、ケース本体に収納される収納基布帯及び上下の縁取りテープを備え、上下の巻き取り機構によって縁取りテープを上下いっぺんに巻き取ることによって収納基布帯をケース本体に収納するペンケースが考案されている。巻き取り機構は、例えばカムと回転子とバネとの三層構造となっている。
【０００４】
しかし、従来のファスナーやマグネットによって開閉するペンケースの場合も、巻き取り機構によって開閉するペンケースの場合も、ユーザは両手で操作しなければペンケースを迅速に開閉することができず、例えば急いでペンケースを片付けて持ち運びたい時などに不便である。また、巻き取り機構による場合、構造が複雑となり、製造コストがかさんだり、故障しやすくなったりする虞れがある。
【先行技術文献】
【特許文献】
【０００５】
【特許文献１】特開２０１５−１１２４６１号公報
【発明の概要】
【発明が解決しようとする課題】
【０００６】
そこで、単純な構造で迅速に開閉操作できるペンケースを提供する。
【課題を解決するための手段】
【０００７】
実施形態のペンスタンド兼用ペンケースは、ペンケース本体と、前記ペンケース本体に設けられ、外力を受けることで、長尺の板状に展開された第１状態と、板状の長手方向を周方向として巻き付けられた第２状態とを、相互に切替可能な変形部材と、を備える。前記ペンケース本体は、前記変形部材と重ならない領域であって前記変形部材の長手方向の辺部と重なる折り返し線を支点に前記ペンケース本体の外面側に折り返すことができる折り返し領域を有している。前記ペンケース本体は、前記変形部材が前記第１状態のときに平板状に展開され、前記変形部材が前記第１状態のときに前記変形部材が外力を受けると前記変形部材が前記第２状態になって自動的に筒状に変形する。前記ペンケース本体は、内部に文房具を保持したまま、前記折り返し領域を折り返した状態で前記第１状態から前記第２状態へと、又は前記第２状態から前記第１状態へと変化可能である。
【図面の簡単な説明】
【０００８】
【図１】一実施形態によるペンケースの一例の外観を示す正面図
【図２】一実施形態によるペンケースの一例の外観を示す背面図
【図３】一実施形態によるペンケースの一例の外シートを取り外して内シートを外側から見た図
【図４】一実施形態によるペンケースの一例の内シートを取り外して外シートを内側から見た図
【図５】一実施形態によるペンケースの一例の使用状態を示す正面図（その１）
【図６】一実施形態によるペンケースの一例の使用状態を示す正面図（その２）
【図７】一実施形態によるペンケースの一例の使用状態を示す正面図（その３）
【図８】一実施形態によるペンケースの変形部材の一例の状態変化を示す図（その１）
【図９】一実施形態によるペンケースの変形部材の一例の状態変化を示す図（その２）
【図１０】一実施形態によるペンケースの変形部材の一例の状態変化を示す図（その３）
【図１１】一実施形態によるペンケースの一例の折り返し領域を折り返した状態を示す正面図
【図１２】一実施形態によるペンケースの一例の操作状態を示す正面図（その１）
【図１３】一実施形態によるペンケースの一例の操作状態を示す正面図（その２）
【図１４】一実施形態によるペンケースの一例の操作状態を示す正面図（その３）
【図１５】一実施形態によるペンケースの一例の折り返し領域を折り返した状態を示す斜視図
【発明を実施するための形態】
【０００９】
以下、一実施形態によるペンケースについて、図面を参照して説明する。
まず、図１を参照して、ペンケース１０の概略構成について説明する。図１に示すように、ペンケース１０は、矩形のペンケース本体１１内に、複数の収容部１２を有して構成されている。以下の説明では、ペンケース本体１１の収容部１２を有している側を、ペンケース１０の内面側とし、収容部１２とは反対側を、ペンケース１０の外面側とする。また、図１の紙面における上下方向を、ペンケース１０の上下方向とし、図１の紙面における左右方向を、ペンケース１０の左右方向つまり幅方向とする。また、図１の紙面を貫く方向つまり上下方向と左右方向とに垂直な方向を、ペンケース１０の厚み方向とする。
【００１０】
本実施形態の場合、ペンケース１０に対する上下方向は、図１５に示すようにペンケース１０を筒状に丸めて机等に立たせて置く場合のペンケース１０の上下方向に一致する。また、ペンケース１０は、図１に示すように展開した状態において全体として図１紙面の左右方向に長い長方形状に構成されている。そのため、以下の説明では、ペンケース１０の上下方向を短手方向又は第１方向と称し、ペンケース１０の左右方向を長手方向又は第２方向と称することがある。
【００１１】
図１及び図２に示すように、ペンケース１０は、ペンケース本体１１を主体として構成されている。ペンケース本体１１は、柔軟性のあるシート状の部材で構成されている。ペンケース本体１１を構成する部材としては、布材、繊維類を薄く加工したもの、織物に限らず、メリヤス生地やレース、フェルト、不織布、革も含む。繊維類は、天然繊維、再生繊維、合成繊維のいずれかを問わない。ペンケース本体１１は、例えばナイロン等の化学繊維や、綿等の天然繊維、天然又は合成皮革等で構成することができる。この場合、ペンケース本体１１は、内シート１１１及び外シート１１２の少なくとも２枚のシート状の部材を重ねて構成されている。内シート１１１は、ペンケース本体１１の内面側を構成するシート状の部材である。外シート１１２は、ペンケース本体１１の外面側を構成するシート状の部材である。
【００１２】
図１、図５〜図７に示すように、ペンケース本体１１は、収容部１２と、フラップ部１３と、蓋部１４と、規制部１５と、を有する。収容部１２は、ペンケース本体１１の内シート１１１の表面の下端に設けられている。収容部１２は、上方が開口したポケット状に形成され、例えばペン等の文房具４０等を出し入れ可能に収納する。ペンケース本体１１は、ペンケース本体１１の幅方向に沿って設けられた複数この場合６つの収容部１２を有している。なお、ペンケース１０が収容する物は文房具に限らないが、以下では文房具４０を収容した場合を例として説明する。
【００１３】
本実施形態では、収容部１２は、複数この場合５つの第１収容部１２１と、１つの第２収容部１２２と、を有する。第１収容部１２１は、上下方向に細長く形成され、各第１収容部１２１内部に一つ又は複数のペン等の長尺の文房具４０を収容することができる。第１収容部１２１の上下方向の長さ寸法は、例えば文房具４０の長さ方向の半分以上を内部に収容することができる寸法である。各第１収容部１２１の左右方向の長さ寸法は、同一でも良く、一部または全部が互いに異なっていても良く、例えば内部に一つ以上のペン等の棒状の文房具４０を収容することができる寸法である。
【００１４】
第２収容部１２２は、横長の矩形に形成され、ペンケース本体１１の幅方向の一端に設けられている。この場合、第２収容部１２２の上下方向の長さ寸法は、第１収容部１２１の上下方向の長さ寸法よりも短く設定されている。また、第２収容部１２２の左右方向の長さ寸法は、第１収容部１２１の左右方向の長さ寸法よりも長く設定されている。そのため、第２収容部１２２は、例えば消しゴムやクリップ等の、小型の文房具４０を収容した場合に取り出し易い構成となっている。また、第２収容部１２２には、図５に示すように、ペン等の長尺の文房具４０を複数同時に収容することもできる。
【００１５】
フラップ部１３は、矩形に形成され、図５〜図７に示すように、ペンケース本体１１の内シート１１１の表面の上端部から下方に垂れて設けられている。フラップ部１３は、ペンケース本体１１の上端部を基端に可動に構成されている。つまり、フラップ部１３は、ペンケース本体１１の上端を基端に上方に折り返すことができる。ユーザは、フラップ部１３を操作することによって、フラップ部１３を文房具４０の奥側つまり文房具４０とペンケース本体１１との間に配置することもできるし、フラップ部１３を文房具４０の手前側つまり文房具４０に関してペンケース本体１１の反対側に配置することもできる。フラップ部１３を文房具４０の手前側に配置した場合、フラップ部１３は、収容部１２に収容された文房具４０の上部を覆って文房具４０が収容部１２から脱落しないようにするカバーとしての機能を有する。
【００１６】
蓋部１４は、内シート１１１の表面において第２収容部１２２の上方に回動可能に設けられ、第２収容部１２２の上方の開口を開閉する。蓋部１４は、例えば第２収容部１２２に収容された消しゴム等の小型の文房具４０が、第２収容部１２２から脱落することを抑制する機能を有する。蓋部１４の左右方向の長さ寸法は、第２収容部１２２の左右方向の長さ寸法よりも短く設定されているため、蓋部１４は、第２収容部１２２の内部に入れ込んで使用することもできる。そのため、蓋部１４は、第２収容部１２２に、第２収容部１２２の上下方向の長さ寸法よりも長尺の文房具４０等を収容することを妨げない。収容部１２、フラップ部１３、蓋部１４は、それぞれ柔軟性のあるシート状の部材で構成されている。収容部１２、フラップ部１３、蓋部１４を構成する部材は、ペンケース本体１１を構成する部材と同一でも良いし、別の部材でも良い。
【００１７】
規制部１５は、柔軟性のある帯状に形成され、内シート１１１の表面において第２収容部１２２と蓋部１４との上方に設けられている。規制部１５は、左右方向の両端をペンケース本体１１に固定されている。規制部１５の固定された左右の両端以外の部分、つまり左右方向に関する中央部分は、ペンケース本体１１に固定されていない。そのため、例えば図１１に示すように、規制部１５は、ペン等の文房具４０のクリップ部分に挟まれることで、第２収容部１２２に収容された文房具４０の動きを規制することができる。つまり、規制部１５は、長尺の文房具４０が第２収容部１２２から脱落することを抑制する機能を有する。また、規制部１５には、第２収容部１２２に収容されていないクリップ等の文房具４０を引っ掛けるなどして利用しても良い。
【００１８】
ペンケース１０は、図１、図２及び図４に破線で示すように、細長い板状に形成された変形部材２０を備える。この場合、変形部材２０は、左右方向を長手方向とし、上下方向を短手方向とする。変形部材２０は、弾性変形可能な部材で構成されている。本実施形態では、変形部材２０は、例えばステンレス等の金属製の薄板で構成されている。別の実施形態では、変形部材２０は、強度及び展性を有する合成樹脂等で構成されていても良い。この場合、変形部材２０は、ペンケース本体１１の内面側を構成するシート状の部材と、外面側を構成するシート状の部材との間に挟まれて設けられている。
【００１９】
変形部材２０の構成を、図８〜図１０を参照してペンケース１０から取り外した状態で説明する。変形部材２０は、図８に示すように細長い板状に延びた状態つまり全体として板状に展開された第１状態と、図１０に示すように変形部材２０の長手方向を周方向として巻き付けられた状態つまり円筒状に巻回された第２状態との、二つの状態を安定的に取ることができる。変形部材２０は、いわば双安定性の構造を有する。変形部材２０は、外力を加えることにより第１状態と第２状態とを相互に切替可能となっている。図９は、変形部材２０の第１状態から第２状態への変化の過程である中間状態を示す。この中間状態は物理的に不安定な状態であるため、変形部材２０は、第１状態か第２状態化のいずれかの状態になろうとする。
【００２０】
変形部材２０は、図８に示すように、第１状態において短手方向に関して湾曲している。この場合、図８の紙面に対して手前側つまりペンケース１０の内面側が凸面となる。つまり、変形部材２０のペンケース１０の内面側を第１面２１とし、ペンケース１０の外面側を第２面２２とすると、第１状態において第１面２１は凸面を形成し、第２面２２は凹面を形成している。この湾曲により、変形部材２０の第１状態が安定化されている。
【００２１】
第１状態の変形部材２０に対し、第１面２１又は第２面２２に垂直な方向の成分を有する外力を加えると、変形部材２０は第２状態へと変化する。つまり、変形部材２０の湾曲を小さくする方向に外力が働くと、第１状態の安定性が崩れ、変形部材２０は長手方向を周方向として回転しつつ収縮し第２状態へと変化する。
【００２２】
図１０に示す第２状態において、変形部材２０の第１面２１及び第２面２２は、短手方向に関して本質的に湾曲していない。第２状態において、変形部材２０は径方向外側に広がる動きを阻害する反発力を有し、バネとして機能する。第２状態の変形部材２０に、変形部材２０の端部２３を径方向外側に引っ張る十分な外力が加わると、バネの反発力に打ち克って変形部材２０は再び第１状態に変化することができる。外力によって変形部材２０が長手方向に一定の長さ以上延びた状態において、更に第１面側が凸となるように反らせるような外力が変形部材２０に加わると、変形部材２０の短手方向の湾曲が形成され、変形部材２０は第１状態を取ることができる。
【００２３】
図１、図２等に示すように、ペンケース本体１１は、保持部１６と、操作部１７と、を更に備える。保持部１６は、ペンケース本体１１の上下方向の中央部に、ペンケース本体１１の左右方向の全幅に亘って横長の矩形に形成されている。保持部１６は、変形部材２０を保持する機能を有する。つまり、変形部材２０は、ペンケース本体１１の上下方向の中央部に保持されている。この場合、ペンケース本体１１の中央部とは、ペンケース本体１１の上下方向の長さ寸法の中心から当該長さ寸法の５％上下方向に移動した範囲を含む概念である。本実施形態では、ペンケース本体１１の上下方向の中心位置と、変形部材２０の上下方向の中心位置とは一致している。また、変形部材２０は、ペンケース本体１１の左右方向の全幅に亘って設けられている。この場合、全幅に亘っているとは、変形部材２０の左右方向つまり長手方向の長さ寸法が、ペンケース本体１１の左右方向の長さ寸法の９０％以上であることを示す。
【００２４】
図１、図２に示すようにペンケース１０が展開された状態つまり収容部１２が外部に露出している状態である場合、保持部１６に保持された変形部材２０は、第１状態を取っている。この場合、保持部１６は、外シート１１２の表面に帯状の部材を取り付け、帯状の部材と外シート１１２との間に変形部材２０を保持する構成としても良い。保持部１６と外シート１１２とは、縫い付けても良いし、接着剤等によって接着しても良い。別の実施形態では、保持部１６は、内シート１１１と外シート１１２との一部を袋状に縫ったり接着剤等で接着したりすることにより内部に変形部材２０を保持可能に形成されていてもよい。
【００２５】
操作部１７は、図１に示すようにペンケース本体１１の内面側つまり内シート１１１の表面において保持部１６の左右方向の両端と重なる位置に設けられている。操作部１７は、ペンケース本体１１の厚み方向に関して変形部材２０の端部２３と少なくとも一部が重なる位置に配置されている。操作部１７は、ペンケース本体１１よりも厚みのあるシート状部材で構成されていても良い。また、操作部１７は、ペンケース本体１１よりも摩擦係数の大きいシート状部材で構成されていても良い。本実施形態では、操作部１７は、保持部１６の左右方向の両端にそれぞれ設けられているが、別の実施形態では、操作部１７は一方の端部に設けられていても良い。
【００２６】
ペンケース本体１１は、図１等に示すように、折り返し領域１８を有する。折り返し領域１８は、ペンケース本体１１の上半部を形成する。折り返し領域１８は、保持部１６の上端部又はそれよりも上方を下端として、ペンケース本体１１の上端部を上端とする。具体的には、折り返し領域１８は、保持部１６の上端部を下端として、ペンケース本体１１の上端部を上端とする。つまり、フラップ部１３は、折り返し領域１８の上端に固定されている。第１収容部１２１、第２収容部１２２、蓋部１４、規制部１５、保持部１６、操作部１７は、ペンケース本体１１の折り返し領域１８以外の部分に位置している。
【００２７】
折り返し領域１８は、変形部材２０の長手方向の辺部を支点すなわち折り返しの基端としてペンケース本体１１の外面側に折り返すことができる。この場合、折り返し領域１８は、変形部材２０の上側の長手方向の辺部を支点にペンケース本体１１の外面側に折り返すことができる。換言すると、折り返し領域１８は、保持部１６の上端付近つまり変形部材２０の上端を折り返し線Ｌとして、ペンケース本体１１の外面側に折り返すことができる。折り返し領域１８を折り返した折り返し状態において、保持部１６、収容部１２及び操作部１７は、ペンケース本体１１の内面側に位置する。つまり、保持部１６、各収容部１２及び操作部１７は、折り返し線Ｌよりも下方に位置している。折り返し状態において、収容部１２に収容された長尺の文房具４０は、図１１に示すように折り返し線Ｌから上部が突出していることがある。
【００２８】
更に、ペンケース１０は、図３、４に示すように、複数の補助部材３０を備える。複数の補助部材３０は、例えば細長い矩形の薄板状に形成され、ペンケース本体１１の長手方向に関する各端部に沿って設けられている。なお、補助部材３０の形状は薄板状の限らず、別の実施形態では、補助部材３０は、例えば円柱状や角柱状であっても良い。
【００２９】
補助部材３０は、ペンケース本体１１の剛性よりも高い剛性を有する。そのため、補助部材３０は、ペンケース１０の両端部に剛性を付加し、ペンケース本体１１の端が反り返ることを抑制する機能を有する。つまり、補助部材３０は、ペンケース本体１１の端部の形状を保つ機能を有する。
【００３０】
また、補助部材３０は、折り曲げ可能な柔軟性を有し、そのためユーザが折り返し領域１８を折り返すことを妨げない。補助部材３０は、例えばポリエチレンなどの剛性と外部からの力を受けて可逆的に折れ曲がる柔軟性とを兼ね備える合成樹脂で構成することができる。また、補助部材３０の厚さは、ペンケース本体１１の端が反り返ることを抑制しかつユーザが折り返し領域１８を折り返すことを妨げない厚みに設定されている。この場合、補助部材３０の厚さは、例えば０．０５ｍｍ〜０．４ｍｍの範囲に設定することができる。本実施形態では、補助部材３０の厚さは、０．０２ｍｍに設定されている。また、補助部材３０の幅寸法つまりペンケース本体１１の長手方向に関する長さ寸法は、例えば５ｍｍ〜１．５ｍｍの範囲に設定することができる。本実施形態では、補助部材３０の幅寸法は８ｍｍに設定されている。
【００３１】
補助部材３０は、それぞれ複数個が重なって設けられていても良い。本実施形態では、補助部材３０は、それぞれ二重に重なっている。そして、ペンケース１０は、補助部材３０として、第１補助部材３１と、第１補助部材３１よりもペンケース本体１１の外面側に設けられている第２補助部材３２及び第３補助部材３３とを備える。
【００３２】
第１補助部材３１は、折り返し線Ｌを跨いで設けられている。第１補助部材３１は、ペンケース本体１１の短手方向つまりこの場合上下方向の全長に亘って設けられている。この場合、上下方向の全長に亘るとは、上下方向の長さ寸法の９０％以上であることを意味する。
【００３３】
第２補助部材３２及び第３補助部材３３は、いずれも第１補助部材３１よりも長さ寸法が短く、いずれも折り返し線Ｌを跨がずに設けられている。第２補助部材３２と第３補助部材３３とは、互いに折り返し線Ｌの反対側に位置し、ペンケース本体１１短手方向つまり上下方向に並んでいる。すなわち第２補助部材３２と第３補助部材３３とは、折り返し線Ｌを挟んで一直線状に並んで設けられている。第２補助部材３２は、ペンケース本体１１の折り返し領域１８と重なる位置に設けられている。第３補助部材３３は、ペンケース本体１１の折り返し領域１８以外の部分と重なる位置に設けられている。換言すれば、第２補助部材３２は折り返し線Ｌより上側に設けられている。また、第３補助部材３３は折り返し線Ｌより下側に設けられている。
【００３４】
第２補助部材３２と第３補助部材３３との上下方向の長さ寸法の和は、概ね第１補助部材３１の上下方向の長さ寸法に一致する。第２補助部材３２は、折り返し領域１８の上下方向の長さ寸法の全長に亘って設けられている。第３補助部材３３は、ペンケース本体１１の折り返し領域１８以外の部分の上下方向の長さ寸法の全長に亘って設けられている。この場合、全長に亘っているとは、それぞれ、折り返し領域１８の上下方向の長さ寸法又はペンケース本体１１の折り返し領域１８以外の部分の上下方向の長さ寸法の９０％以上であることを意味する。
【００３５】
ペンケース本体１１の外面側に設けられている第２補助部材３２と第３補助部材３３との間には隙間Ｓが形成されている。当該隙間Ｓは、第２補助部材３２と第３補助部材３３とが不連続つまり別体に形成されていればごくわずかでもよく、例えば第２補助部材３２と第３補助部材３３とが接していても良い。第２補助部材３２と第３補助部材３３との隙間Ｓは、例えば０．１ｍｍ〜１０ｍｍに設定することができる。例えば、本実施形態において隙間Ｓは１ｍｍに設定されている。
【００３６】
図３、図４に示すように、補助部材３０は、ペンケース本体１１の内シート１１１と外シート１１２との間に挟まれて設けられている。具体的には、第１補助部材３１は、内シート１１１に取り付けられている。また、第２補助部材３２と第３補助部材３３とは、外シート１１２に取り付けられている。本実施形態では、補助部材３０は、ペンケース本体１１に直接縫い付けられている。他の実施形態では、補助部材３０は、ペンケース本体１１に例えば接着剤等によって取り付けられていても良い。
【００３７】
なお、補助部材３０は、第１補助部材３１、第２補助部材３２、及び第３補助部材３３を一体に構成しても良い。すなわち、補助部材３０は、例えば隙間Ｓ以外の部分を第１補助部材３１と第２補助部材３２又は第３補助部材３３とを合わせた厚みとし、隙間Ｓ部分を第１補助部材３１のみの厚みとして構成することもできる。
【００３８】
続いて、ペンケース１０の開閉機構について図１２〜図１４も参照しながら説明する。図１２に示すようにペンケース１０が展開された状態にある場合つまり変形部材２０が第１状態にある場合、ユーザは、操作部１７を第１面２１に垂直な方向に押すことができる。この場合、垂直な方向に押すとは、ユーザが加える外力が垂直な方向成分を含むことを意味する。操作部１７を通して変形部材２０の端部２３に外力が加わると、変形部材２０は、第２状態に変化する。その際、ペンケース１０は、図１３に中間状態を示すように、ペンケース本体１１の内面側つまり収容部１２が配置された側を内側に巻き込んで変形する。
【００３９】
変形部材２０が第２状態になると、図１４に示すように、ペンケース本体１１は上下方向を軸方向とした筒状となる。そして、収容部１２を含むペンケース本体１１の内面側は、内側に巻き込まれて外側に露出しない。この筒状の状態を、ペンケース１０が閉じた状態と称する。ペンケース１０が閉じた状態にある場合、変形部材２０のバネの反発力により、一定以上の外力がない状態では、ペンケース１０は開かずに閉じた状態に保持される。また、その場合、収容部１２の内部の文房具４０は変形部材２０のバネの反発力によって保持される。
【００４０】
ペンケース１０が閉じた状態にある場合、ユーザは、操作部１７またはその付近に、変形部材２０のバネの反発力に打ち克つだけの外力を径方向外側方向に加えることで、再びペンケース１０が展開された状態に変化させることができる。その際、ユーザは、ペンケース本体１１が左右方向に一定の長さ以上に延びた状態つまり変形部材２０が長手方向に一定の長さ以上に延びた状態において、例えば左右の操作部１７を両手で持ってペンケース本体１１の内面側が凸となるようにペンケース本体１１を反らせても良い。そうすることで、ユーザは、変形部材２０を第１状態に安定化させペンケース１０が展開された状態つまりペンケース１０が開いた状態を安定的に維持することができる。
【００４１】
ユーザは、図１１に示す折り返し状態においても操作部１７を操作することができる。折り返し状態において操作部１７に変形部材２０の第１面２１に垂直な方向に外力が加えられると、ペンケース１０は、図１５に示すように、折り返し領域１８が折り返されたまま、筒状に変形する。この場合、収容部１２に収容された長尺の文房具４０は、折り返し線Ｌつまり筒状の上端から突出していることがある。図１５に示す折り返し状態の筒状の半径は、図１４に示す折り返し領域１８を折り返していない場合の閉じた状態よりも、折り返し領域１８の厚み分だけ大きくなる。また、図１５に示す折り返し状態の筒状の上下方向の長さ寸法は、図１４に示す折り返し領域１８を折り返していない場合の閉じた状態よりも、折り返し領域１８の上下方向の長さ寸法だけ小さくなる。そのため、ペンケース１０は、折り返し状態で閉じた場合、鉛直方向に立てた場合にも自立しやすくなり、ペンスタンドとして利用することができる。
【００４２】
以上説明した本実施形態によれば、ペンケース１０は、ペンケース本体１１と、変形部材２０と、を備える。変形部材２０は、ペンケース本体１１に設けられており、外力を受けることで、長尺の板状に展開された第１状態と、板状の長手方向を周方向として円柱状に巻き付けられた第２状態とを、相互に切替可能に構成されている。ペンケース本体１１は、変形部材２０が第１状態のときに平板状に展開される。また、ペンケース本体１１は、変形部材２０が第１状態のときに変形部材２０が外力を受けると変形部材２０が第２状態になって、自動的に筒状に変形する。
【００４３】
これによれば、ペンケース本体１１が平板状に展開されたつまりペンケース１０が展開された状態において、ユーザは、変形部材２０を押すという単純な一つの動作でペンケース１０を閉じた状態にすることができる。すなわち、これによれば、ユーザは、簡単な操作でペンケース１０を筒状に畳んで丸めることができる。また、ペンケース１０はカムや回転子などを必要とせず、単純な構造である。そのため、単純な構造で迅速に開閉操作できるペンケースを提供することができる。
【００４４】
また、ペンケース本体１１は、展開された状態で一方向に長い形状に形成されている。変形部材２０は、ペンケース本体１１の短手方向の中心を通りかつ長手方向に沿ったペンケース本体１１の中心線と重なる位置に設けられている。
【００４５】
これによれば、ペンケース１０は、上下にそれぞれ巻取のための部材を設けなくても、ペンケース本体１１の短手方向の中心に変形部材２０を設けることで、自動で筒状に変形可能である。したがって、簡単な構成で、自動で巻き取られ筒状態となるペンケース１０を提供することができる。
【００４６】
また、ペンケース本体１１は、変形部材２０の長手方向の端部２３と重なる位置に設けられた操作部１７を備える。操作部１７は、ペンケース本体１１における操作部１７以外の部分と区別可能に構成されている。
【００４７】
これによれば、操作部１７は、変形部材２０の端部２３と重なる位置つまりペンケース本体１１の左右方向の端部に位置するため、ユーザにとってアクセスしやすく操作性が向上する。また、ペンケース１０が閉じる過程において手指が挟まれたり巻き込まれたりする可能性が少ない。更にまた、操作部１７は、ペンケース本体１１の操作部１７以外の部分と区別可能に構成されているため、ユーザにとって一層視認性がよく、操作性が向上する。
【００４８】
更にまた、ペンケース本体１１は、内面側に変形部材２０の長手方向に沿って設けられ、文房具４０を内部に収容可能な複数の収容部１２を備える。操作部１７は、ペンケース本体１１の長手方向に関する収容部１２の外側に設けられている。
【００４９】
これによれば、収容部１２は、変形部材２０の長手方向つまりペンケース本体１１が平板状から筒状となる場合の回転方向に沿って複数設けられている。すなわち、収容部１２に収容された長尺の文房具４０の長手方向は、変形部材２０の短手方向つまり回転の軸方向と平行な方向に指向することになる。そのため、ペンケース１０を閉じて筒状にする際や、筒状から平板状にする際に、収容部１２に収容した文房具４０同士は引っ掛かりにくくなり、スムーズな開閉操作が行える。また、操作部１７は、収容部１２よりも外側に設けられているため、ユーザにとってアクセスしやすく操作性が向上するとともに、ユーザが収容部１２に文房具４０を収容する際に、誤って操作部１７を押してしまうことがない。また、仮に収容部１２と操作部１７とが重なっている場合、操作部１７と重なる収容部１２に文房具４０が収容されていると、ユーザは操作部１７を操作し辛くなる。それに対し本実施形態では、収容部１２と操作部１７とは重なっていないため、収容部１２に収容された文房具４０によってユーザの操作が阻害されにくい。
【００５０】
更に、ペンケース本体１１は、変形部材２０と重ならない領域であって変形部材２０の長手方向の辺部と重なる折り返し線Ｌを支点にペンケース本体１１の外面側に折り返すことができる折り返し領域１８を更に有している。
【００５１】
これによれば、ペンケース本体１１は一部を外面側に折り返すことができるためコンパクトになり、机の上に広げて使用する際に省スペースとなる。また、折り返し領域１８を外面側に折り返す際の支点となる折り返し線Ｌは、変形部材２０の長手方向の辺部に一致する。そのため、ユーザは、折り返し線Ｌを視覚的に認識しやすい。更にまた、ペンケース本体１１と変形部材２０とは、別の部材からなるため、折り返し線Ｌを体感的にも認識しやすい。すなわち、変形部材２０は、シート状部材からなるペンケース本体１１よりも硬質であるため、ユーザにとって、折り返し線Ｌは手応えとしても認識しやすい。
【００５２】
更にまた、折り返し領域１８は変形部材２０と重ならない領域であるため、折り返し領域１８を折り返した状態において、変形部材２０は折り返し領域１８よりもペンケース本体１１の内面側すなわち図１１における紙面手前側に位置する。つまり、折り返し領域１８を折り返さない状態と折り返し領域１８を折り返した状態とで、変形部材２０の第１面２１が対向する向きは同一である。そのため、折り返し領域１８を折り返さない状態と折り返し領域１８を折り返した状態とで、変形部材２０の第２状態の回転方向は変わらない。すなわち、折り返し状態においても、変形部材２０は、ペンケース１０がペンケース本体１１の内面側つまり収容部１２の設けられた側を内側にして筒状となるように、第２状態となる。そのため、図１５に示すように折り返し状態でペンケース１０を閉じて筒状にすれば、ペンケース１０が鉛直方向に自立してペンスタンドとしても利用できるため、更に省スペースとなる。
【００５３】
仮に、収容部１２が折り返し領域１８に設けられている場合、折り返し状態では収容部１２の上下方向が反転するため、収容部１２の開口が下方に位置することとなる。そのため、特に閉じた状態でペンスタンドとして使用する場合に文房具４０が収容部１２から脱落しやすくなる。
【００５４】
これに対し、各収容部１２は、ペンケース本体１１のうち折り返し領域１８とは異なる領域に設けられている。これによれば、折り返し状態においても収容部１２はペンケース１０の内面側に位置する。そのため、折り返し状態であってペンケース本体１１が展開された状態つまり平板状の状態においては、収容部１２全て内面側にあるためユーザの一覧性と使用性がよくなる。更に、各収容部１２は、折り返し領域１８を折り返した状態においてもその上下方向が反転しないため、収容部１２の開口は上方に位置し、ペンケース本体１１を閉じた状態でペンスタンドとして使用した場合にも文房具４０が脱落し難くなる。
【００５５】
ここで、ペンケース本体１１は、柔軟性のあるシート状の部材によって構成されているため、左右方向の端部が反り返ってしまったり折れ曲がってしまったりする可能性がある。そして、ペンケース本体１１の左右方向の端部が反り返ったり折れ曲がったりすると、その反り返ったり折れ曲がったりしたペンケース本体１１の端部によって変形部材２０の変形が阻害される。その結果、ペンケース本体１１は、例えば図１２に示す平板状に展開された状態から図１４に示す筒状に巻回された状態に切り替わり難くなる。
【００５６】
これに対し、ペンケース１０は、補助部材３０を更に備える。補助部材３０は、ペンケース本体１１の長手方向に関する各端部にあってペンケース本体１１の短手方向の辺に沿って設けられている。また、補助部材３０は、折り曲げ可能な柔軟性を有しておりかつペンケース本体１１の剛性よりも高い剛性を有している。
【００５７】
これによれば、折れ曲がりやすいペンケース本体１１の左右の各端部に補助部材３０が設けられることで、ペンケース本体１１に剛性が付加される。そのため、ペンケース本体１１の左右の各端部が折れ曲がったり反り返ったりしてしまうことを抑制することができる。更に、補助部材３０は、折り曲げ可能な柔軟性を有するため、ユーザがペンケース本体１１の折り返し領域１８を折り返す際にも妨げになりにくい。
【００５８】
また、補助部材３０は、ペンケース本体１１の長手方向に関する各端部にあってペンケース本体１１の短手方向の辺に沿って設けられている。補助部材３０は、折り曲げ可能な柔軟性を有しておりかつペンケース本体１１よりも高い剛性を有している。補助部材３０は、第１補助部材３１と、第２補助部材３２と第３補助部材３３と、を含んで構成されている。第１補助部材３１は、折り返し線Ｌに跨って設けられている。第２補助部材３２と第３３とは、いずれも折り返し線Ｌに跨らずに設けられている。第３補助部材３３は、折り返し線Ｌに関して第２補助部材３２の反対側に設けられている。
【００５９】
これによれば、補助部材３０のうち一部つまり第１補助部材３１は折り返し線Ｌに跨って設けられているため、折り返し領域１８を折り返さずに使用する際に、折り返し線Ｌで折れ曲がってしまうことを抑制することができる。一方、補助部材３０のうち一部つまり第２補助部材３２と第３補助部材３３とは折り返し線Ｌを跨がずに設けられているため、ユーザが折り返し領域１８を折り返す際に更に抵抗となりにくい。なお、補助部材３０は薄板状に形成されているため、ペンケース１０の外観に影響を及ぼしにくく、ユーザが折り返し領域１８を折り返す際に抵抗となりにくい。
【００６０】
更に、第２補助部材３２と第３補助部材３３とは、一直線上に配置されている。つまり、第２補助部材３２と第３補助部材３３とは、折り返し線Ｌを挟んでペンケース本体１１の短手方向この場合上下方向に一直線上に配置されている。
【００６１】
これによれば、第２補助部材３２と第３補助部材３３とが一直線上ではなくばらばらに配置されている場合と比較して、ペンケース本体１１の補助部材３０の配置部分と重なる部分を直線状に限定することができる。そのため、ペンケース１０の外観に与える影響を更に抑制することができる。
【００６２】
更に、第１補助部材３１と、第２補助部材３２及び第３補助部材３３とは、それぞれ重ねて配置されている。第１補助部材３１は、第２補助部材３２及び第３補助部材３３よりもペンケース本体１１の内面側に設けられている。つまり、第１補助部材３１は、内シート１１１側に設けられており、第２補助部材３２と第３補助部材３３とは外シート１１２側に設けられている。
【００６３】
これによれば、補助部材３０は二重に設けられているため、同一部材を重ねずに使用する場合に比較して、より曲がり剛性を付加することができ、ペンケース本体１１の左右の両端部が折れ曲がったり反り返ったりしてしまうことを一層抑制することができる。また、折り返し領域１８を折り返す際に、ペンケース本体１１の内面側よりも外面側の方が曲率半径が小さくなる。そのため、ペンケース本体１１の内面側よりも外面側の方が折り返し線Ｌの部位に大きな曲げ応力が発生する。本実施形態では、折り返し線Ｌに跨って設けられている第１補助部材３１をペンケース本体１１の内面側に設け、ペンケース本体１１の外面側に設けられた第２補助部材３２と第３補助部材３３とはいずれも折り返し線Ｌに跨っていない。そのため、より一層ユーザが折り返し領域１８を折り返す際に妨げとなりにくい。
【００６４】
更に、第１補助部材３１は、ペンケース本体１１の長手方向この場合左右方向の各端部の全長に亘って設けられている。これによれば、ペンケース本体１１の左右方向の各端部において上端から下端までが第１補助部材３１によりまっすぐに伸長され、反り返ることが抑制される。
【００６５】
上記の実施形態では、ペンケース本体１１は、長手方向を左右方向とする長方形に形成されているが、左右方向の長さ寸法と上下方向との長さ寸法とが概ね等しい正方形に形成されていても良い。また、ペンケース本体１１は、長手方向を上下方向とする長方形に形成されていても良い。つまり、ペンケース本体１１の長手方向と、変形部材２０の長手方向とが必ずしも一致していなくともよい。その場合であっても、上述の効果が奏される。
【００６６】
更に、上記の実施形態では、ペンケース本体１１に１つの変形部材２０が設けられているが、変形部材２０の個数は２つ以上でも構わない。その場合、変形部材２０が第２状態になるときに発生するバネの力が１つの場合よりも強くなる。そのため、ペンケース本体１１のサイズが大きい場合や、ペンケース本体１１に収容する文房具４０が太かったり重かったりする場合であっても、ペンケース本体１１はスムーズに筒状に変形することができ、筒状に変形した後は、文房具４０を確実に保持することができる。
【００６７】
上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００６８】
１０…ペンケース、１１…ペンケース本体、１２…収容部、１３…フラップ部、１４…蓋部、１５…規制部、１６…保持部、１７…操作部、１８…折り返し領域、２０…変形部材、２１…第１面、２２…第２面、２３…端部、３０…補助部材、３１…第１補助部材、３２…第２補助部材、３３…第３補助部材、４０…文房具
【要約】      （修正有）【課題】単純な構造で迅速に開閉操作できるペンケースを提供する。【解決手段】ペンケース１０は、ペンケース本体１１と、ペンケース本体に設けられ、外力を受けることで、長尺の板状に展開された第１状態と、板状の長手方向を周方向として巻き付けられた第２状態とを、相互に切替可能な変形部材と、を備える。ペンケース本体は、変形部材が第１状態のときに平板状に展開され、変形部材が前記第１状態のときに変形部材が外力を受けると変形部材が第２状態になって自動的に筒状に変形する。【選択図】図１５【図１】
0006940895.tif 000002
【図２】
0006940895.tif 000003
【図３】
0006940895.tif 000004
【図４】
0006940895.tif 000005
【図５】
0006940895.tif 000006
【図６】
0006940895.tif 000007
【図７】
0006940895.tif 000008
【図８】
0006940895.tif 000009
【図９】
0006940895.tif 000010
【図１０】
0006940895.tif 000011
【図１１】
0006940895.tif 000012
【図１２】
0006940895.tif 000013
【図１３】
0006940895.tif 000014
【図１４】
0006940895.tif 000015
【図１５】
0006940895.tif 000016